(57)【特許請求の範囲】
【請求項１】
吸込口および吹出口を有するキャビネットに、熱交換器とファンとイオンを発生するイオン発生器とが内装され、吸込口に、フィルタが設けられ、吹出口に、送風の吹き出し方向を変える導風パネルが開閉可能に設けられ、ファンの回転および導風パネルの開閉を制御して、キャビネット内を掃除する内部清掃運転を行う制御装置を備えた空気調和機であって、制御装置は、内部清掃運転実行時に、吹出口を閉じて、イオンを発生させながらファンを動作させて、キャビネット内にイオンを行き渡らせる除菌運転を行った後、ファンを動作させて、キャビネット内に漂う埃をフィルタに回収する埃回収運転を行い、
イオン発生器は、ファンよりも吹出口に近い位置に配され、除菌運転のとき、正逆回転可能なファンは逆回転され、埃回収運転のとき、吹出口が開かれてファンが正回転され、吹出口から吹き出した空気を吸込口から吸い込むショートサーキットを発生させることにより、埃を回収することを特徴とする空気調和機。
【請求項２】
吸込口および吹出口を有するキャビネットに、熱交換器とファンとイオンを発生するイオン発生器とが内装され、吸込口に、フィルタが設けられ、吹出口に、送風の吹き出し方向を変える導風パネルが開閉可能に設けられ、ファンの回転および導風パネルの開閉を制御して、キャビネット内を掃除する内部清掃運転を行う制御装置を備えた空気調和機であって、除菌運転のときに吹出口を塞ぐフィルタを備え、制御装置は、内部清掃運転実行時に、吹出口を閉じて、イオンを発生させながらファンを動作させて、キャビネット内にイオンを行き渡らせる除菌運転を行った後、ファンを動作させて、キャビネット内に漂う埃をフィルタに回収する埃回収運転を行うことを特徴とする空気調和機。
【請求項３】
吸込口にあるフィルタが吹出口まで移動され、フィルタが吸込口にあるときに吸込口に対向するフィルタの表面とフィルタが吹出口にあるときに吹出口に対向するフィルタの表面が同じ面とされたことを特徴とする請求項２記載の空気調和機。
【請求項４】
フィルタを清掃するフィルタ清掃装置が設けられ、制御装置は、埃回収運転の後、フィルタ清掃装置を動作させて、フィルタ掃除運転を行うことを特徴とする請求項１〜３のいずれかに記載の空気調和機。
【発明の詳細な説明】
【技術分野】
【０００１】
本発明は、キャビネット内の乾燥、除菌などの内部清掃運転を行う空気調和機に関する。
【背景技術】
【０００２】
放電によってイオンを発生するイオン発生器を備えた空気調和機では、このイオンをキャビネット内に行き渡らせることにより、キャビネット内の除菌や脱臭を行う内部清掃運転が行われる。例えば、特許文献１に記載の空気調和機では、吹出口を閉じ、吸込口の一部を閉じるとともに、ファンを逆回転させる内部清掃運転が行われる。このような内部清掃運転により、吸込口と吹出口とを結ぶ空気通路の隅々までイオンを行き渡らせることができる。
【先行技術文献】
【特許文献】
【０００３】
【特許文献１】特開２００３−１０６６１３号公報
【発明の概要】
【発明が解決しようとする課題】
【０００４】
ファンが逆回転することにより、通常の正回転時とは異なった空気の流れが生じる。ファン、熱交換器、空気通路の壁面などに付着した埃が舞い上がって、キャビネット内の空気通路を漂う。内部清掃運転の後、空調運転が行われると、送風により空気通路内にある埃が室内に吹き出される。そのため、室内に埃が広がってしまう。
【０００５】
そこで、本発明は、上記に鑑み、内部清掃運転後に空調運転を行うときに、キャビネット内の埃が室内に広がらないようにした空気調和機の提供を目的とする。
【課題を解決するための手段】
【０００６】
本発明は、吸込口および吹出口を有するキャビネットに、熱交換器とファンとイオンを発生するイオン発生器とが内装され、吸込口に、フィルタが設けられ、吹出口に、送風の吹き出し方向を変える導風パネルが開閉可能に設けられ、ファンの回転および導風パネルの開閉を制御して、キャビネット内を掃除する内部清掃運転を行う制御装置を備えた空気調和機であって、制御装置は、内部清掃運転実行時に、吹出口を閉じて、イオンを発生させながらファンを動作させて、キャビネット内にイオンを行き渡らせる除菌運転を行った後、ファンを動作させて、キャビネット内に漂う埃をフィルタに回収する埃回収運転を行うものである。
【０００７】
ファンの逆回転によりキャビネット内に埃が舞い上がるが、埃回収運転が行われると、漂っている埃が吹き流されてフィルタに捕集される。ファンを正回転させて空調運転を行うとき、埃が吹き出すことを防止できる。
【０００８】
イオン発生器は、ファンよりも吹出口に近い位置に配され、除菌運転のとき、正逆回転可能なファンは逆回転され、埃回収運転のとき、吹出口が開かれてファンが正回転され、吹出口から吹き出した空気を吸込口から吸い込むショートサーキットを発生させることにより、埃を回収する。
【０００９】
埃回収運転のとき、吹出口から吹き出された風は吸込口に向かって流れる。吹き出された埃は、吸込口に吸い込まれて、フィルタに捕集される。埃が室内に広がらないように、埃を回収することができる。
【００１０】
フィルタを清掃するフィルタ清掃装置が設けられ、制御装置は、埃回収運転の後、フィルタ清掃装置を動作させて、フィルタ掃除運転を行う。埃回収運転後のフィルタの掃除により、回収された埃が付着したフィルタがきれいになり、フィルタの風通しがよくなる。
【００１１】
除菌運転のときにフィルタが吹出口を塞ぐ。ファンが逆回転すると、吹出口から室内の空気が吸い込まれ、埃もキャビネット内に吸い込まれる。吹出口のフィルタが吸い込まれた埃を捕集し、キャビネット内に埃が侵入しない。
【００１２】
吸込口にあるフィルタが吹出口まで移動され、吸込口にあるときに吸込口に対向するフィルタの表面とフィルタが吹出口にあるときに吹出口に対向するフィルタの表面が同じ面とされる。フィルタの使用場所にかかわらず、埃が付着するフィルタの表面が常に同一となり、キャビネット内に埃が飛散しない。
【発明の効果】
【００１３】
本発明によると、キャビネットの内部清掃を行ったときに出現する埃をフィルタに回収することにより、キャビネット内にある埃をなくすことができ、空調運転時に埃が吹き出されることを防止できる。
【図面の簡単な説明】
【００１４】
【図１】本発明の空気調和機の室内機の斜視図
【図２】室内機の断面図
【図３】空気調和機の制御ブロック図
【図４】第１実施形態の内部清掃運転のフローチャート
【図５】導風パネルが上開きしたときの室内機の断面図
【図６】ショートサーキット発生時の室内機の断面図
【図７】第４実施形態における吹出口がフィルタで塞がれた室内機の断面図
【図８】第４実施形態における空気調和機の制御ブロック図
【図９】第５実施形態における吹出口がフィルタで塞がれた室内機の断面図
【発明を実施するための形態】
【００１５】
（第１実施形態）
本実施形態の空気調和機は、室内機と室外機とからなるセパレート型である。図１、２に示すように、室内機には、キャビネット１の天面に室内空気を吸い込む吸込口２が形成され、キャビネット１の前面下部に吹出口３が形成されている。キャビネット１の内部には、吸込口２から吹出口３に至る空気通路４が形成され、この空気通路４に室内熱交換器５と室内ファン６が配置されている。室内熱交換器５は、室内ファン６の前方および上方を取り囲む。吸込口２と室内熱交換器５との間には、吸込口２から吸い込まれた空気に含まれる塵埃を捕集するフィルタ７が吸込口２に沿って設けられている。
【００１６】
キャビネット１は、背面板１０および前面パネル１１によって構成される。背面板１０に、室内熱交換器５および室内ファン６が装着される。前面が開口された前面パネル１１は、背面板１０に着脱可能に取り付けられる。前面パネル１１の開口の上部を覆う前カバー１２が前面パネル１１に開閉可能かつ着脱可能に取り付けられる。前カバー１２が開いたとき、フィルタ７が露出し、フィルタ７を着脱することができる。
【００１７】
前面パネル１１の開口の下部に、ドレンパンユニット１３が設けられる。ドレンパンユニット１３は背面板１０に取り付けられる。ドレンパンユニット１３は、ドレンパン１４を有し、ドレンパン１４は室内熱交換器５の下方に配置される。ドレンパンユニッ１３トは、空気通路４の一部を形成し、ドレンパンユニット１３の前面の開口が吹出口３とされる。
【００１８】
ドレンパンユニット１３に、吹出口３を開閉する導風パネル１５が開閉可能に設けられるとともに、風向板１６も設けられる。導風パネル１５は、上軸１７あるいは下軸１８周りに回動して、吹出口３を開閉する。導風パネル１５は、正逆回転可能な開閉モータの動作により回動する。導風パネル１５が下軸１８周りに回動すると、導風パネル１５は上開きとなる。導風パネル１５が上軸１７周りに回動すると、導風パネル１５は下開きとなる。導風パネル１５の開き角度は、任意に可変できる。
【００１９】
ドレンパン１４の下側に、イオン発生器１９が空気通路４に臨むように設けられる。イオン発生器１９は、放電により正イオンおよび負イオンを発生する。空気通路４に向かって放出されたイオンは、室内ファン６の送風により吹出口３から室内に吹き出される。
【００２０】
室内熱交換器５の前方に、フィルタ７を清掃するフィルタ清掃装置２０が設けられる。フィルタ清掃装置２０は、フィルタ７を移動させながらフィルタ７に付着した塵埃を除去するものである。フィルタ清掃装置２０は、フィルタ７を掃除する回転ブラシ２１と、フィルタ７を移動させるフィルタ移動部２２とを有する。
【００２１】
回転ブラシ２１は、清掃モータにより回転駆動され、移動するフィルタ７から塵埃を掻き取る。除去された塵埃はダストボックス２３に収容される。フィルタ７は、通常は吸込口２に面する装着位置にあり、フィルタ掃除のときには、反転して清掃位置まで移動する。キャビネット１内に、装着位置と清掃位置との間でフィルタ７の移動をガイドするフィルタガイド２４が設けられる。フィルタ移動部２２は、フィルタ７に形成されたラックに噛み合うピニオン２５と、ピニオン２５を回転駆動する正逆回転可能な移動モータとを有する。ピニオン２５の回転により、フィルタ７はフィルタガイド２４に沿って回転ブラシ２１に接触するように往復移動する。フィルタ掃除のとき、フィルタ７は、装着位置から清掃位置まで反転するように移動し、清掃位置から装着位置まで戻る。
【００２２】
空気調和機の図示しない室外機は、室内機と配管および配線により接続される。室外機は、圧縮機、四方弁、室外熱交換器、膨張弁、室外ファンを備える。圧縮機、四方弁、室外熱交換器、膨張弁、室内熱交換器５により冷凍サイクル３０が形成される。
【００２３】
そして、図３に示すように、空気調和機は、冷凍サイクル３０を制御して、冷房運転、暖房運転、除湿運転などの空調運転を行う制御装置３１を備えている。空気調和機は、室温を検出する室温検出器３２、外気温を検出する外気温検出器３３、室内の湿度を検出する湿度検出器３４、室内の人の有無を検出する人感検知器３５を備えている。温度を検出する検出器３２、３３は、サーミスタなどの温度センサを用いている。人感検知器３５は、赤外線センサ、カメラなどを用いている。
【００２４】
空気調和機は、制御装置３１と通信可能なリモコン３６等の操作機器を有する。制御装置３１は、通信部３７を通じて操作機器と通信を行う。リモコン３６と通信部３７とは、赤外線による無線通信を行う。なお、操作機器は、スマートホン、タブレット、ＰＣなどであってもよく、通信部３７は、操作機器と無線ＬＡＮなどの無線通信、あるいはＬＡＮケーブル、電力線などの通信回線を利用した通信を行う。
【００２５】
例えば、ユーザが、リモコン３６を操作して、空気調和機に各種の指示を行うと、制御装置３１は、リモコン３６からの指示にしたがって所定の運転モードを実行するように冷凍サイクル３０を制御する。すなわち、ユーザは、リモコン３６を操作して、設定温度および暖房、冷房、除湿などの運転モードを選択する。制御装置３１は、選択された運転モードにおいて、設定温度と検出された室温、外気温とに基づいて圧縮機の運転周波数を決め、圧縮機の運転周波数に応じて室内ファン６の回転数を決定する。そして、圧縮機、膨張弁および室内外のファンがそれぞれ駆動される。また、導風パネル１５が運転モードに応じて開かれる。冷房運転あるいは除湿運転のとき、導風パネル１５は上開きされる。暖房運転のとき、導風パネル１５は下開きされる。さらに、空調運転が行われているとき、イオン発生器１９も駆動され、イオンが室内に放出されて、空気の汚れの浄化、脱臭、静電気の除去を行うことができる。
【００２６】
空気調和機が長期間使用されると、室内熱交換器５、室内ファン６、空気通路４などに埃や露が付着して、キャビネット１内が汚れる。そこで、空気調和機は、導風パネル１５を開閉し、室内ファン６を正逆回転させて、キャビネット１内を掃除する内部清掃運転を行う。内部清掃運転の開始タイミングは、空調運転の停止後に設定されている。空調運転が停止されると、すぐに内部清掃運転が開始される。
【００２７】
制御装置３１は、内部清掃運転実行時に、キャビネット１内を乾燥させる乾燥運転、キャビネット１内の除菌や静電気除去のための除菌運転、キャビネット１内に残った埃を回収する埃回収運転を順次行う。
【００２８】
乾燥運転では、吹出口３が開き、室内ファン６が正回転され、送風により内部の湿気を除去する。除菌運転では、吹出口３が閉じられ、イオンを発生させながら室内ファン６が逆回転され、キャビネット１内にイオンを行き渡らせる。埃回収運転では、吹出口３が少し開き、室内ファン６が正回転され、吹出口３から吹き出した空気を吸込口２から吸い込むショートサーキットを発生させて、キャビネット１内に漂う埃をフィルタ７に回収する。
【００２９】
空気調和機における内部清掃運転時の一連の動作を図４に示す。冷房運転が行われているとき、ユーザが運転を停止させるためにリモコン３６を操作する。リモコン３６からの指示を受けた制御装置３１は、冷房運転を停止する。このとき、圧縮機、室内ファン６および室外ファンが停止される。制御装置３１は、冷房運転の停止後、自動的に内部清掃運転を開始する。このとき、キャビネット１に設けられた表示部が清掃中であることを報知する。例えば、清掃中を表示するための表示ランプが点灯する。また、内部清掃運転中、イオン発生器１９は動作し続けている。
【００３０】
まず、乾燥運転が開始される。制御装置３１は、導風パネル１５を開き、室内ファン６を正回転させる。図５に示すように、導風パネル１５は上開きする。なお、冷房運転が停止したとき、導風パネル１５が上開きしているので、導風パネル１５はそのままの状態が維持される。また、導風パネル１５の開き角度は、任意の角度であるが、例えば最大にされる。
【００３１】
室内ファン６の駆動により、吸込口２から吸い込まれた空気は空気通路４を通って吹出口３から吹き出される。この間に、風が室内熱交換器５や室内ファン６を通り抜け、室内熱交換器５、室内ファン６および空気通路４の壁面の湿気が取り去られ、キャビネット１内が乾燥される。ここで、乾燥運転中は、送風だけであるが、圧縮機を動作させて暖房運転を行ってもよい。温風によって、キャビネット内の乾燥が促進される。
【００３２】
乾燥運転が所定時間行われると、次に除菌運転が開始される。図６に示すように、制御装置３１は、少しだけ上開きになるように導風パネル１５を動作させる。この後、制御装置３１は、イオンを発生させながら室内ファン６を逆回転させる。キャビネット１の前方の空気は、少し開かれた吹出口３から吸い込まれて、空気通路４を通常の送風方向とは逆向きに流れ、吸込口２から室内に吹き出される。そして、吸込口２から出た空気は、吹出口３に吸い寄せられ、キャビネット１の前面に沿って流れ、吹出口３に吸い込まれる。このように、逆向きのショートサーキットが発生する。イオン発生器１９から発生したイオンは、室内ファン６から室内熱交換器５を経て吸込口２に向い、吸込口２から吹き出されて吹出口３から空気通路４に流れ込む。これにより、イオンは、導風パネル１５の裏面や吹出口３近傍の壁面にも付着し、イオンがキャビネット１内に行き渡る。イオンにより、キャビネット１内の除菌、脱臭、静電気の除去が行われ、キャビネット１の内部清浄が行われる。
【００３３】
キャビネット１の内部清浄のための除菌運転が所定時間行われると、引き続いてキャビネット１内の乾燥を目的とした除菌運転が行われる。図２に示すように、制御装置３１は、吹出口３を閉じるように導風パネル１５を動作させた後、イオンを発生させながら室内ファン６を逆回転させる。イオンは菌に作用した後、水分子となって、キャビネット１内に残る。キャビネット１内の水分子がイオンの周りに寄り集まり、各イオンはクラスターイオンになる。イオン発生器１９から発生したイオンが吹出口３の近くから吸込口２に向かうにつれて、水分子を含んだクラスターイオンが生成され、吸込口２からクラスターイオンが室内に放出される。吹出口３は塞がれているので、室内の水分子はキャビネット１内に侵入せず、キャビネット１内の水分子が減っていく。このようにして、室内熱交換器５、室内ファン６、空気通路４の壁面から湿気が取られ、キャビネット１内の乾燥が行われる。
【００３４】
乾燥のための除菌運転が所定時間行われると、次に埃回収運転が行われる。除菌運転において、室内ファン６が逆回転される。このとき、室内熱交換器５、室内ファン６、空気通路４の壁面などに付着していた埃が舞い上がり、キャビネット１内を漂う。図６に示すように、制御装置３１は、少しだけ上開きになるように導風パネル１５を動作させる。この後、制御装置３１は、室内ファン６を正回転させる。吹出口３から吸込口２に向かって空気が流れるショートサーキットが発生する。キャビネット１内の埃は、吹出口３から吸込口２に向かって運ばれ、吸込口２から吸い込まれてフィルタ７に捕集される。このとき、イオンが発生していると、吹出口３から出て吸込口２に吸い込まれたイオンは、フィルタ７の静電気を除去する。埃がフィルタ７から剥がれやすくなる。所定時間の埃回収運転が行われると、制御装置３１は、導風パネル１５を閉じるように動作させ、室内ファン６を停止させて、内部清掃運転を停止する。
【００３５】
内部清掃運転が行われた後、キャビネット１内の埃は除去されている。冷房運転などの空調運転が行われても、室内機から埃が室内に吹き出されることはなく、室内をきれいに保つことができる。
【００３６】
（第２実施形態）
本実施形態の空気調和機では、内部清掃運転の後にフィルタ掃除が行われる。制御装置３１は、埃回収運転の後、フィルタ清掃装置２０を動作させて、フィルタ掃除運転を行う。その他の構成は、第１実施形態と同じである。
【００３７】
埃回収運転が終了すると、フィルタ清掃運転が開始される。制御装置３１は、フィルタ移動部２２の移動モータを動作させるとともに、清掃モータを動作させる。フィルタ７は、装着位置から移動し始める。回転する回転ブラシ２１により、フィルタ７の表面に付着した塵埃が取り除かれる。フィルタ７が装着位置に戻ると、制御装置３１は、各モータを停止させて、フィルタ清掃運転を停止する。この後、空調運転が開始されるとき、フィルタ７には埃が付着していないので、風がフィルタを通り抜けやすくなり、送風効率が上がる。
【００３８】
（第３実施形態）
内部清掃運転の開始タイミングは、任意に設定可能とされる。例えば、内部清掃運転の開始は空調運転の開始前とされる。空調運転の停止後には、内部清掃運転は行われない。その他の構成は、第１あるいは第２実施形態と同じである。
【００３９】
ユーザがリモコン３６で運転開始の操作したとき、あるいはタイマによる運転開始の設定時間になったとき、制御装置３１は、内部清掃運転を開始する。乾燥運転、除菌運転および埃回収運転が順次行われる。埃回収運転が終了すると、指示された空調運転が開始される。なお、埃回収運転の後、フィルタ掃除運転を行うようにしてもよい。このように運転開始前に内部清掃運転を行うことにより、キャビネット１内がきれいになり、空調運転の開始時に埃や水滴などが放出されない。特に、空気調和機が長期間使用されていないときに、空調運転の開始前に内部清掃運転を行うと、かび菌などの放出をなくすことができ、内部清掃運転の効果を大いに発揮できる。
【００４０】
ここで、最後の空調運転に応じて乾燥運転を省略してもよい。最後の空調運転が暖房運転のとき、キャビネット１内には湿気が残っていない。そこで、制御装置３１は、最後の空調運転が暖房運転のとき、乾燥運転を省略した内部清掃運転を行う。これにより、空調運転を早く開始することができる。最後の空調運転が冷房運転あるいは除湿運転のとき、制御装置３１は、通常の内部清掃運転を行う。また、暖房運転を開始する前に内部清掃運転を行うとき、圧縮機を同時に動作させてもよい。内部清掃運転中に温風が発生するので、乾燥運転を行わなくても、キャビネット１内を乾燥できる。
【００４１】
（第４実施形態）
内部清掃運転の除菌運転において、室内ファン６を逆回転させるとき、吹出口３が導風パネル１５により塞がれていても、吹出口３の隙間から室内の空気が吸い込まれる。このとき、埃もキャビネット１内に流れ込み、埃がキャビネット１内に溜まる。除菌運転の後に埃回収運転が行われるが、室内ファン６の逆回転時の風の流れは正回転時の風の流れと異なるため、埃がキャビネット１内に広く散らばってしまうおそれがある。そこで、除菌運転時に室内ファン６を逆回転させるとき、吹出口３をフィルタ７により塞ぐようにする。その他の構成は、第１〜第３実施形態と同じである。
【００４２】
図７に示すように、吸込口２に設けられたフィルタ７が、吸込口２から吹出口３まで移動して、吹出口３を塞ぐ。吸込口２にあるフィルタ７を吹出口まで案内するフィルタ移動ガイド部４０が設けられ、図８に示すように、制御装置３１は、除菌運転時にフィルタ移動ガイド部４０を動作させて、フィルタ７を装着位置から吹出口３を塞ぐ閉塞位置まで移動させる。
【００４３】
キャビネット１内に、フィルタガイド２４の分岐口４１から閉塞位置までフィルタ７の移動をガイドするガイドレール４２が設けられる。閉塞位置は、導風パネル１５と風向板１６との間に位置する。分岐口４１は、回転ブラシ２１よりも室内熱交換器５寄りに位置する。ガイドレール４２は、分岐口４１からダストボックス２３とドレンパン１４との間を通り、フィルタ７が吹出口３の上壁から下壁に到達するように吹出口３の側壁に形成される。なお、吹出口３の上壁には、フィルタ７が通る開口が形成され、この開口を閉じるシャッタが設けられる。シャッタはばねの力により開口を自動的に閉じる。通常、開口は閉じられており、フィルタ７が閉塞位置に向かって移動するとき、シャッタはフィルタ７により押し開けられる。
【００４４】
分岐口４１に、フィルタ７の進路を切り替える切替ガイド４３が設けられる。切替ガイド４３は、軸周りに回動し、ガイドレール４２を塞ぐ通常姿勢とフィルタガイド２４を塞ぐ逆姿勢に切り替えられる。切替ガイド４３が通常姿勢のとき、フィルタ７は切替ガイド４３にガイドされながらフィルタガイド２４に沿って清掃位置まで移動する。切替ガイド４３が逆姿勢のとき、フィルタ７は、切替ガイド４３にガイドされて、フィルタガイド２４から外れてガイドレール４２に導かれる。この切替ガイド４３および切替ガイド４３を回動させるモータとフィルタ移動部２２とにより、フィルタ移動ガイド部４０が構成される。
【００４５】
乾燥運転が開始されたとき、フィルタ７は装着位置にある。乾燥運転が終了すると、制御装置３１は、切替ガイド４３を動作させてから移動モータを動作させる。切替ガイド４３は通常姿勢から逆姿勢に切り替わり、ピニオン２５の回転により、フィルタ７は装着位置から閉塞位置に向かって移動する。分岐口４１において、フィルタ７は切替ガイド４３にガイドされてガイドレール４２に沿って移動する。フィルタ７が閉塞位置まで移動すると、制御装置３１は、除菌運転を開始する。室内ファン６の逆回転により、吹出口３から侵入してきた埃は、フィルタ７に捕集される。ここで、閉塞位置において埃が付着するフィルタ７の表面は、装着位置において埃が付着する表面と同じ面である。除菌運転が終了すると、切替ガイド４３は逆姿勢から通常姿勢に切り替えられ、フィルタ７は閉塞位置から装着位置に戻される。
【００４６】
このように、室内ファン６が逆回転される除菌運転時に、吹出口３がフィルタ７によって塞がれるので、吹出口３から室内の空気が吸い込まれても、キャビネット１内に埃が入らないようにできる。したがって、キャビネット１内に存在する埃を低減でき、内部清掃によりキャビネット１内を清潔に保つことができる。
【００４７】
また、除菌運転が終了したとき、フィルタ７は閉塞位置から装着位置に戻される。このとき、フィルタ７の掃除を行ってもよい。制御装置３１は、除菌運転の終了後にフィルタ７を装着位置まで移動させるときにフィルタ清掃装置２０を動作させる。フィルタ７が装着位置に戻ったとき、フィルタ７は掃除されて、埃が付着していない。除菌運転後に室内ファン６が正回転されたとき、フィルタ７は目詰まりしていないので、風がスムーズにフィルタ７を通り抜け、送風効率がよくなる。
【００４８】
（第５実施形態）
室内ファン６の逆回転時に吹出口３を塞ぐフィルタとして、第２のフィルタ５０が用いられる。図９に示すように、吹出口３に対して出没可能なフィルタ５０がキャビネット１内に設けられる。除菌運転時に、フィルタ５０は吹出口３を塞ぎ、通常時にはフィルタ５０は空気通路４の外側に収納されている。その他の構成は、第１〜第３実施形態と同じである。
【００４９】
第２のフィルタ５０は、吸込口２用のフィルタ７とは異なり、折り畳み可能あるいは巻き取り可能とされる。吹出口３の下壁の下方の空間に、フィルタ５０の収納室５１が設けられ、フィルタ５０は折り畳まれた状態あるいは巻き取られた状態で収納される。このフィルタ５０を引き出したり戻したりする移動補助部材５２が設けられ、移動補助部材５２は、フィルタ５０の前端の左右両側に取り付けられる。移動補助部材５２は、吹出口３の側壁の外側に設けられ、伸縮可能なロッドあるいはアームとされ、モータあるいはシリンダによって伸縮される。なお、移動補助部材５２は、フィルタを掴むスライド可能なチャックであってもよい。モータの駆動によりチャックが前後進すると、フィルタ５０が引き出されたり戻されたりする。
【００５０】
制御装置３１は、室内ファン６を逆回転させて除菌運転を行うとき、移動補助部材５２を動作させる。移動補助部材５２が伸びる、あるいは前進すると、フィルタ５０が引き出されて、吹出口３がフィルタ５０により塞がれる。移動補助部材５２が縮む、あるいは後退すると、フィルタ５０は引っ込んで収納され、吹出口３が開放される。このように、フィルタ５０をすぐに出し入れできるので、内部清掃運転時間を短縮できる。
【００５１】
以上の通り、本発明の空気調和機は、吸込口２および吹出口３を有するキャビネット１に、熱交換器５とファン６とイオンを発生するイオン発生器１９とが内装され、吸込口２に、フィルタ７が設けられ、吹出口３に、送風の吹き出し方向を変える導風パネル１５が開閉可能に設けられ、ファン６の回転および導風パネル１５の開閉を制御して、キャビネット１内を掃除する内部清掃運転を行う制御装置３１を備えたものである。制御装置３１は、内部清掃運転実行時に、吹出口３を閉じて、イオンを発生させながらファン６を動作させて、キャビネット１内にイオンを行き渡らせる除菌運転を行った後、ファン６を動作させて、キャビネット１内に漂う埃をフィルタ７に回収する埃回収運転を行う。
【００５２】
除菌運転の後にキャビネット１内に残っている埃をフィルタ７に回収することにより、内部清掃運転後に空調運転が行われても、埃が吹き出さない。
【００５３】
イオン発生器１９は、ファン６よりも吹出口３に近い位置に配され、除菌運転のとき、正逆回転可能なファン６は逆回転され、埃回収運転のとき、吹出口３が開かれてファン６が正回転され、吹出口３から吹き出した空気を吸込口２から吸い込むショートサーキットを発生させることにより、埃を回収する。これにより、内部清掃運転において埃が室内に散らされることがなく、埃をフィルタ７に回収することができる。
【００５４】
フィルタ７を清掃するフィルタ清掃装置２０が設けられ、制御装置３１は、埃回収運転の後、フィルタ清掃装置２０を動作させて、フィルタ掃除運転を行う。これにより、フィルタ７の目詰まりがなくなるので、空調運転時には風通しがよくなり、送風効率が高まる。
【００５５】
空気調和機は、除菌運転のときに吹出口３を塞ぐフィルタを備えている。ファン６の逆回転により、吹出口３から室内の空気が吸い込まれるが、このとき埃が捕集され、キャビネット１内への埃の侵入を防げる。
【００５６】
吸込口２にあるフィルタ７が吹出口３まで移動され、フィルタ７が吸込口２にあるときに吸込口２に対向するフィルタ７の表面とフィルタ７が吹出口３にあるときに吹出口３に対向するフィルタの表面が同じ面とされる。これにより、外部に面するフィルタ７の表面に常に埃が付着し、内部に面するフィルタ７の裏面には埃が付着しない。ファン６が逆回転されても、埃が飛散することを防止できる。
【００５７】
吸込口２にあるフィルタ７を吹出口３まで案内する移動ガイド部４０が設けられ、制御装置３１は、除菌運転時に移動ガイド部４０を動作させて、フィルタ７を吸込口２から吹出口３まで移動させる。これにより、１つのフィルタ７で２つの役目を果たせる。
【００５８】
フィルタ７が移動するとき、制御装置３１は、フィルタ清掃装置２０を動作させて、フィルタ掃除運転を行う。これにより、頻繁にフィルタ７を掃除することができ、きれいな状態のフィルタ７を使用でき、送風効率がよくなる。
【００５９】
制御装置３１は、空調運転の開始前あるいは停止後に内部清掃運転を行う。これにより、空調運転が行われるときには、キャビネット１内の埃が取り除かれているので、室内への埃の飛散を防止できる。
【００６０】
制御装置３１は、内部清掃運転実行時に、吹出口３を開いてファン６を動作させる乾燥運転を行った後、除菌運転および埃回収運転を行う。乾燥運転が先に行われることにより、キャビネット１内に付着している埃が剥がれやすくなり、効率よくキャビネット１内の埃を取り除くことができる。
【００６１】
なお、本発明は、上記実施形態に限定されるものではなく、本発明の範囲内で多くの修正・変更を加えることができるのは勿論である。イオン発生器１９が室内ファン６よりも吸込口２に近い位置に配置されているとき、除菌運転時に室内ファン６は正回転される。
【００６２】
フィルタガイド２４は、上記の実施形態のようなフィルタ７を反転させるような形態ではなく、フィルタ７が直接吹出口３に向かうような形態に形成してもよい。フィルタ７が掃除されるとき、フィルタ７は吹出口３まで移動して戻る。そして、除菌運転時には、フィルタ７は吹出口３まで移動して、吹出口３を塞ぐ。
【００６３】
第２のフィルタ５０は、着脱可能なフィルタであってもよい。除菌運転が行われる前に導風パネル１５が開き、吹出口３が開放される。このとき、ユーザがフィルタ５０を吹出口３の壁面に取り付ける。ユーザが再スタートの操作をすると、除菌運転が開始される。除菌運転が終了すると、導風パネル１５が開き、ユーザはフィルタ５０を取り外す。この後、埃回収運転が行われる。これにより、フィルタを移動させる機構が不要となり、低コストでキャビネット１内をきれいにできる。
【符号の説明】
【００６４】
１    キャビネット
２    吸込口
３    吹出口
４    空気通路
５    室内熱交換器
６    室内ファン
７    フィルタ
１５    導風パネル
１９    イオン発生器
２０    フィルタ清掃装置
２１    回転ブラシ
２２    フィルタ移動部
２４    フィルタガイド
３１    制御装置
４０    移動ガイド部
４２    ガイドレール
４３    切替ガイド
５０    第２のフィルタ
【図１】
0006457253.tif 000002
【図２】
0006457253.tif 000003
【図３】
0006457253.tif 000004
【図４】
0006457253.tif 000005
【図５】
0006457253.tif 000006
【図６】
0006457253.tif 000007
【図７】
0006457253.tif 000008
【図８】
0006457253.tif 000009
【図９】
0006457253.tif 000010